(57)【要約】【課題】遊技機の回転体を駆動する駆動源の小型化を図るとともに、駆動源の回転を正確且つ確実に回転体に伝達する。【解決手段】回転体１１の回転軸１４に取り付けられる円盤部材２３は、第１円盤部５０と第２円盤部５１と、これらを連結するバネ状弾性体５３とを備え、駆動源１７の定常回転時で駆動軸１８と第２円盤部５１とに掛け渡された無端帯２１の張力が実質上一定のときには、第２円盤部５１は第１円盤部５０及び回転軸１４と一体的に回転し、駆動源１７の起動時で無端帯２１の張力が急激に増加したときには、第２円盤部５１は、バネ状弾性体５３を伸長させながら無端帯２１に連動して回転し、第１円盤部５０はバネ状弾性体５３を介して第２円盤部５１に追従しながら回転する。【選択図】図５
2007289334.tif 000002
【特許請求の範囲】
【請求項１】
外周面に数字、絵柄などの識別情報が配列された回転体と、この回転体を駆動する駆動源とが備えられる遊技機の回転体駆動装置において、
前記駆動源と前記回転体との間には、前記駆動源の駆動軸の回転を、無端帯を介して前記回転体の回転軸に伝達する駆動力伝達手段が設けられ、
前記回転軸の一端には、前記無端帯が巻き掛けられる円盤部材が取り付けられ、
前記円盤部材は、前記回転軸と一体的に回転するように当該回転軸に固定される第１円盤部と、前記無端帯が巻き付けられ且つ前記第１円盤部に同軸状に組み付けられる第２円盤部と、前記第１円盤部と前記第２円盤部とに連結されるバネ状弾性体とを備え、
前記駆動源の定常回転時で前記無端帯の張力が実質上一定のときには、前記第２円盤部は、前記第１円盤部及び前記回転軸と一体的に回転し、
前記駆動源の起動時で前記無端帯の張力が急激に増加したときには、前記第２円盤部は、前記バネ状弾性体を伸長または圧縮させながら前記無端帯に連動して回転し、前記第１円盤部は前記バネ状弾性体を介して前記第２円盤部に追従しながら回転することを特徴とする遊技機の回転体駆動装置。
【請求項２】
前記第２円盤部は、前記第１円盤部の外径よりも小さい外径で前記無端帯が巻き付けられる小径部と、前記小径部よりも大きい外径で且つ前記小径部を挟んで前記第１円盤部と対向するように配置される大径部とを有していることを特徴とする請求項１に記載の遊技機の回転体駆動装置。
【請求項３】
前記第１円盤部は前記第２円盤部よりも前記回転軸の先端側に配置され、
前記第１円盤部には貫通部が穿設されるとともに、前記第１円盤部における前記第２円盤部の反対側となる表面には、前記バネ状弾性体の一端が係止される第１係止片が突設され、
前記第２円盤部には、前記第１円盤部の貫通部の内側を通って前記第１円盤部の表面から突出するように、前記バネ状弾性体の他端が係止される第２係止片が設けられていることを特徴とする請求項１または２に記載の遊技機の回転体駆動装置。
【請求項４】
前記駆動源は、その駆動軸を前記回転軸と実質上平行にして前記回転体の内部に配置され、前記駆動力伝達手段は、前記駆動源の回転数を減速して前記回転体に伝達されるように構成したことを特徴とする請求項１から３のいずれかに記載の遊技機の回転体駆動装置。
【発明の詳細な説明】
【技術分野】
【０００１】
本発明は、外周面に数字、絵柄などの識別情報が配列された回転体を備える遊技機の回転体駆動装置に関するものである。
【背景技術】
【０００２】
従来から、周面に数字や絵などの図柄が描かれた回転体を、遊技者の始動操作によって回転させたのち、遊技者の停止操作によって停止させて、停止時点での図柄合わせにより当選を決定する遊技機が知られている（パチンコ機やスロットマシン等）。このような遊技機の回転体を駆動する回転体駆動装置としては、特許文献１等に、モータ取付板に取り付けられたモータが、回転体の筐体（リールドラム）内に配置されて、モータの駆動軸が筐体の回転軸となるように、駆動軸に直接筐体が取り付けられる構成が記載されており、モータの回転（回転数）がそのまま回転体に伝達されている（ダイレクトドライブ）。
【０００３】
しかしながら、特許文献１のような構造では、駆動源であるモータに大きな回転体を直結して駆動しているから、回転体の駆動や制動に必要なトルクをモータが出力するためには、モータを大型化させる必要がある。その結果、回転体駆動装置にモータ以外の部品を取り付けるためのスペースが少なくなるうえに、モータのコストが嵩み、全体の重量も増加する。
【０００４】
そこで、特許文献２等には、回転体の回転軸とモータの駆動軸とに無端帯を掛け渡して、モータの回転を、無端帯を介して回転体に伝達する駆動力伝達手段を設けることで、モータの配置の自由度を高める構成が記載されている。また、特許文献２では、モータにステッピングモータを用い、その駆動ステップ数を制御することで、回転体の周面の図柄を適正な位置に精度良く停止させるようにしている。
【０００５】
この特許文献２の駆動力伝達手段では、モータの回転数を減速して回転体に伝達するように構成することで、モータを小型化してそのトルクも小さくすることが可能となり、小スペース化に加えて、モータのコスト削減を図ることができる。
【特許文献１】特開２００２−２４８１９９号公報（図４参照）
【特許文献２】特開２００３−３２５７３０号公報（図４及び図６参照）
【発明の開示】
【発明が解決しようとする課題】
【０００６】
しかしながら、トルクの小さいモータを採用すると、駆動源の起動時には、モータのトルクに対して回転体の負荷が大きすぎる過負荷の状態となり、特にステッピングモータの場合には、モータの回転がモータの制御パルスに同期できない脱調が生じ、回転体の駆動に不具合を生じるという問題があった。
【０００７】
本発明は、上記問題を解消するものであり、遊技機の回転体を駆動する駆動源の小型化を図るとともに、駆動源の回転を正確且つ確実に回転体に伝達することのできる遊技機の回転体駆動装置の実現を目的とするものである。
【課題を解決するための手段】
【０００８】
前記目的を達成するために、請求項１に記載の発明における回転体駆動装置は、外周面に数字、絵柄などの識別情報が配列された回転体と、この回転体を駆動する駆動源とが備えられる遊技機の回転体駆動装置において、前記駆動源と前記回転体との間には、前記駆動源の駆動軸の回転を、無端帯を介して前記回転体の回転軸に伝達する駆動力伝達手段が設けられ、前記回転軸の一端には、前記無端帯が巻き掛けられる円盤部材が取り付けられ、前記円盤部材は、前記回転軸と一体的に回転するように当該回転軸に固定される第１円盤部と、前記無端帯が巻き付けられ且つ前記第１円盤部に同軸状に組み付けられる第２円盤部と、前記第１円盤部と前記第２円盤部とに連結されるバネ状弾性体とを備え、前記駆動源の定常回転時で前記無端帯の張力が実質上一定のときには、前記第２円盤部は、前記第１円盤部及び前記回転軸と一体的に回転し、前記駆動源の起動時で前記無端帯の張力が急激に増加したときには、前記第２円盤部は、前記バネ状弾性体を伸長または圧縮させながら前記無端帯に連動して回転し、前記第１円盤部は前記バネ状弾性体を介して前記第２円盤部に追従しながら回転することを特徴とするものである。
【０００９】
請求項２に記載の発明は、請求項１に記載の遊技機の回転体駆動装置において、前記第２円盤部は、前記第１円盤部の外径よりも小さい外径で前記無端帯が巻き付けられる小径部と、前記小径部よりも大きい外径で且つ前記小径部を挟んで前記第１円盤部と対向するように配置される大径部とを有していることを特徴とするものである。
【００１０】
請求項３に記載の発明は、請求項１または２に記載の遊技機の回転体駆動装置において、前記第１円盤部は前記第２円盤部よりも前記回転軸の先端側に配置され、前記第１円盤部には貫通部が穿設されるとともに、前記第１円盤部における前記第２円盤部の反対側となる表面には、前記バネ状弾性体の一端が係止される第１係止片が突設され、前記第２円盤部には、前記第１円盤部の貫通部の内側を通って前記第１円盤部の表面から突出するように、前記バネ状弾性体の他端が係止される第２係止片が設けられていることを特徴とするものである。
【００１１】
請求項４に記載の発明は、請求項１から３のいずれかに記載の遊技機の回転体駆動装置において、前記駆動源は、その駆動軸を前記回転軸と実質上平行にして前記回転体の内部に配置され、前記駆動力伝達手段は、前記駆動源の回転数を減速して前記回転体に伝達されるように構成したことを特徴とするものである。
【発明の効果】
【００１２】
請求項１に記載の発明によれば、駆動源の駆動軸の回転を回転体の回転軸に無端帯を介して伝達する駆動力伝達手段が備えられ、回転体の回転軸には、無端帯が巻き付けられる第２円盤部と回転軸に固定される第１円盤部とをバネ状弾性体で連結した円盤部材が取り付けられ、駆動源の起動時に前記無端帯の張力が急激に増加したときには、円盤部材のうちの第２円盤部が、回転体全体の回転よりも先に、無端帯に連動して回転することができるから、駆動源に掛かる負荷が直ちに軽減され、駆動源が安定して回転開始することができる。回転体は第１円盤部と一体的に回転するように設けられているから、第１円盤部がバネ状弾性体を介して第２円盤部に追従すると、回転体も速やかに回転開始する。
【００１３】
また、駆動力伝達手段を用いて、駆動軸の回転を回転体の回転軸に伝達しているから、駆動軸と回転軸とを直結する場合に比べて、駆動源を任意の位置に設置でき、駆動源の配置の自由度が増すという効果を奏する。
【００１４】
請求項２に記載の発明によれば、無端帯が巻き付けられる小径部を挟んで、小径部よりも外径の大きい第１円盤部と大径部とが対向しているから、第１円盤部と大径部とは無端帯の脱落を防止する効果を奏する。
【００１５】
請求項３に記載の発明によれば、バネ状弾性体が係止される第１係止片と第２係止片とが回転軸の先端側に向かって突出して形成されているので、バネ状弾性体を回転軸の先端側、すなわち円盤部材の表面側に配置することができ、バネ状弾性体の配置スペースを確保し易い。
【００１６】
請求項４に記載の発明によれば、駆動源を回転体の内部に収容するように配置するから、回転体駆動装置全体として小型に構成することができる。また、駆動力伝達手段は、駆動源の回転数を減速して回転体に伝達するから、駆動源のトルクを小さくして小型化を図れるうえに、請求項１の発明の効果により、駆動源にかかる起動時の過負荷を防止できるから、トルクの小さい駆動源でも大きな負荷の回転体を起動時から安定して回転させることができる。つまり、回転体の内部に収容される駆動源に小型のものを採用できるから、回転体駆動装置内の限られた空間を、その他の部品の配置に有効に活用することが可能となる。
【発明を実施するための最良の形態】
【００１７】
以下に、本発明の基本的な実施形態について、図１〜図７を用いて説明する。実施形態は、遊技機としてのスロットマシン１００に搭載される回転体駆動装置１０に適用したものである。
【００１８】
スロットマシン１００は、図１及び図２に示すように、ボックス形状の本体フレーム１０２の前面に、各種の表示を行ったりスイッチを配置した前面パネル１０３を備えている。前記本体フレーム１０２の中空内部には、その上段位置に、本発明の回転体駆動装置１０と、制御回路を含む回路基板１０５などが組み込まれ、下段位置には、多数枚のメダルを収容するメダル放出機１０６などが組み込まれている。
【００１９】
回転体駆動装置１０の詳細については後述するが、この回転体駆動装置１０には、周面に図柄を有する３つの回転体１１（図１及び図３の左側から順に、第１回転体１１ａ、第２回転体１１ｂ、第３回転体１１ｃとする）が備えられている。そして、回転体駆動装置１０は、本体フレーム１０２内にて、その間口方向に掛け渡されるように配置された搭載板１０７の上に載置される。
【００２０】
前面パネル１０３には、第１回転体１１ａと第２回転体１１ｂと第３回転体１１ｃとに連続する３つの図柄を外部に表示するための窓部１１０と、各回転体１１の回転を開始させるためのレバーもしくはスイッチであるスタータ１１２と、メダル投入口１１４と、メダル払出口１１６と、メダル受け皿１１８と、遊技者が第１回転体１１ａ、第２回転体１１ｂ、及び第３回転体１１ｃをそれぞれ停止させるためのストップボタン１２１、１２２、１２３とが備えられている。なお、各回転体１１の停止は、これらストップボタン１２１〜１２３の操作に基づく手動停止の場合の他に、図示しない切換スイッチにより、自動停止（スタータ１１２の操作に基づき、制御回路によって、乱数などにより、窓部１１０に表示すべき図柄を決定し、自動的に各回転体１１を順次停止させるモード）に切り換えられるように構成してもよい。
【００２１】
一般には、窓部１１０は、ガラス等の透明部材が用いられており、図１に示すように、横及び斜めに入賞ラインが表示されている。遊技者は、まず１枚または複数枚のメダルをメダル投入口１１４に投入した後に、スタータ１１２を操作することで、全回転体１１の回転を開始させる。次に、ストップボタン１２１〜１２３を押下することで、各回転体１１の回転を任意の順序で停止させていく。
【００２２】
ゲームは、メダルの投入枚数に従い直線上（例えば、メダル１枚投入時は水平な入賞ライン３本のうち真ん中１本、メダル２枚投入時は水平な入賞ライン３本、メダル３枚投入時は水平な入賞ライン３本と斜め方向の入賞ライン２本の合計５本の直線上）に特定の図柄が揃うと、「役」や「大当たり」（ボーナスゲームやビッグ・ボーナスゲーム）となり、それに応じたゲームの開始になったり、所定の枚数のメダルをメダル払出口１１６からメダル受け皿１１８へ排出する。なお、メダルの排出に代わって、スロットマシンをクレジット処理の状態にしておくと、メダルの払い出しは、所定度数（例えば５０度数）に達するか、または前面パネル１０３上の終了ボタンが操作されるまではなされず、前面パネル１０３上のクレジット表示器（図示せず）に現在のクレジット度数（メダル枚数に相当）が表示される。
【００２３】
次に、本発明の回転体駆動装置１０の構成について詳細に説明する。回転体駆動装置１０では、図３に示すように、略短筒状の３つの回転体１１ａ〜１１ｃが、その回転軸線Ｏに沿って並設されている。各回転体１１は、その一方の端面（周面に直交する面）に沿ってそれぞれ立設された支持部材１２で個別に支持され、３つの支持部材１２は、図示していない外枠部材によって連結されている。
【００２４】
１つの支持部材１２は、側面視コの字状を呈しており、前記回転体１１の周面と直交する端面と平行状に設けられた基部１２ａと、回転体１２の周面よりも外側となる上下にてこの周面と平行状になるように基部１２ａから延設された脚部１２ｂ、１２ｂとを有している。脚部１２ｂが図示しない外枠部材に固定されることにより、支持部材１２は保持されている。
【００２５】
基部１２ａの回転体１１側の面には、回転体１１を連結するための補助支持部材１３が固着されており、補助支持部材１３には、基部１２ａと間隔をあけて平行な略板状の取付部１３ａが設けられている。この取付部１３ａの一方の面は、基部１２ａの中央部分に穿設された開口部１２ｃによって外方に露出するようになっており、便宜上、取付部１３ａの開口部１２ｃ側の面を表面、その反対側の面を裏面と記載する。後述する駆動力伝達手段２０は、基部１２ａと取付部１３ａとの間に形成された空間１２ｄに収容される、すなわち、これらの手段は開口部１２ｃより外方へ突出しないように構成されており、駆動力伝達手段２０の配置が、隣接する回転体１１の配置に支障を来たさないように配慮している。
【００２６】
取付部１３ａの中央には、その表裏面を貫通するように回転体１１の回転軸１４が取り付けられており、回転軸１４は取付部１３ａに固定された軸受１５に回転可能に保持されている。取付部１３ａの裏面における下方寄りの位置には、駆動源となるモータ１７が固定され、モータ１７の駆動軸１８が取付部１３ａの表面側に突出している。モータ１７には、ステッピングモータを適用している。取付部１３ａの表面側には、駆動軸１８の駆動を回転軸１４に伝達するための駆動力伝達手段２０が配置されている。
【００２７】
取付部１３ａの裏面側に突出した回転軸１４の先端には、回転体１１のリールドラム１６が固定されている。リールドラム１６は、肉抜きされた短筒状でその中心から外周へ放射状に延びる複数本の桟部１６ａが設けられ、リールドラム１６の外周面には、数字、絵などの図柄が表面あるいは裏面に所定間隔で描かれたリールテープ１９が巻き付けられている。
【００２８】
駆動力伝達手段２０は、駆動軸１８と回転軸１４とに巻き掛けられる無端帯２１によって、駆動軸１８の回転を回転軸１４に伝達するように構成されている。無端帯２１はタイミングベルトであって、駆動軸１８と回転軸１４とには、それぞれタイミングベルトに係合する外周面を有する駆動軸用プーリ２２と回転軸用プーリ（請求項の円盤部材に相当）２３とが各々固定されている。回転軸用プーリ２３は駆動軸用プーリ２２よりも大径に形成されており、モータ１７の回転数が減速されて回転体１１に伝達される。
【００２９】
回転体１１には、その回転位置を検出するためのセンサ４０が、回転体毎に取り付けられている。このセンサ４０は、図４に示すように、光を発射する発光素子４１と、その光を受光する受光素子４２とから構成され、リールドラム１６の桟部１６ａから突出して設けられた１つの遮蔽板４３が、回転によって発光素子の光を遮ることにより、回転体１１の原点位置を把握するようにしている。
【００３０】
この実施形態では、モータ１７に１回転が４８分割されたステッピングモータを採用し、回転体１１は１周が２５２分割（ステップ）されるように構成するとともに、リールテープ１９の周面には２１絵柄が表示されている。すなわち、回転体１１の１２ステップを１つの絵柄に対応させているので、絵柄の表示を制御し易くしている。
【００３１】
回転軸用プーリ２３は、回転軸１４にこれと一体的に回転するように固定される第１円盤部５０と、無端帯２１が巻き付けられ且つ第１円盤部５０に同軸状に組み付けられる第２円盤部５１と、第１円盤部５０と第２円盤部５１とに連結されるバネ状弾性体５３とを備えている。
【００３２】
回転軸用プーリ２３の第１円盤部５０と第２円盤部５１とは、回転軸１４の中心線Ｏと同軸上に各々の回転中心を一致させて、相対的に摺動可能に組み付けられており、第１円盤部５０と第２円盤部５１との摺動面は、回転軸１４の周面に沿う面に形成されている。これら第１円盤部５０と第２円盤部５１とに、バネ状弾性体５３が連結されており、第１円盤部５０と第２円盤部５１との摺動は、バネ状弾性体５３の伸長、収縮とともに行われる。
【００３３】
この回転軸用プーリ２３は、図４〜図６に示すように、モータ１７の起動時で無端帯２１の張力が急激に増加したときには、バネ状弾性体５３を伸長させるように第１円盤部５０と第２円盤部５１との間に摺動が生じて、第２円盤部５１が無端帯２１に連動して回転し、第１円盤部５０がバネ状弾性体５３を介して第２円盤部５１に追従しながら回転するが、モータ１７の定常回転時で無端帯２１の張力が実質上一定のときには、第１円盤部５０と第２円盤部５１とが摺動せずに回転軸１４と一体的に回転するように構成されている。もちろん、モータ１７の起動時に限らず、定常回転中に無端帯２１の張力が急激に増加する事態が発生した場合にも、第２円盤部５１は、バネ状弾性体５３を伸長させながら、第１円盤部５０との間に摺動を生じる。
【００３４】
この実施形態では、第１円盤部５０は、多段形状の外周面を有し回転軸１４が内周の内側に挿通される筒状部５０ａと、薄い円板状で中心に筒状部５０ａの外周に対応する穴が穿設された板状部５０ｂとを有している。筒状部５０ａの外周面の多段形状は、筒状部５０ａを回転軸１４に取り付けた状態で、回転軸１４の先端側から離れるに従って、大径になるように階段状に形成されている。この筒状部５０ａの段部のうちの一つ（以下第１段部６０とする）には、中心線Ｏに平行な方向に沿って板状部５０ａが重ねられる。第１段部６０における回転軸１４の先端と反対側には、後述する第２円盤部５１の小径部５１ａの厚み寸法とほぼ同じ程度の段差で、第２段部６３が隣接しており、この第２段部６３に小径部５１ａが中心線Ｏに平行な方向に沿って重ねられる。
【００３５】
筒状部５０ａの第１段部６０には、雌ねじ部６２が穿孔されており、板状部５０ｂに穿設された取付穴６１を通ったネジ５７が、雌ねじ部６２に螺合することで、板状部５０ｂを筒状部５０ａに固定できるようになっている。
【００３６】
板状部５０ｂの外径は、筒状部５０ａに板状部５０ｂが固定された状態で、筒状部５０ａの半径方向外側に大きく張り出す大きさに設定されている。また板状部５０ｂには、平面視で、板状部５０ｂの周方向にほぼ沿って長い長穴形状の貫通部５４が、板状部５０ｂの中心に対して点対称に配置されて計２箇所穿設されている。また、貫通部５４が配置されている円周と同じ円周上には、各貫通部５４に対して回転方向Ａの後退側（反対側）となる位置に、板状部５０ｂを切り起こして形成した第１係止片５５が、貫通部５４と所定の間隔を空けて設けられている。
【００３７】
第２円盤部５１は、無端帯２１が巻き付けられ第１円盤部５０の板状部５０ｂよりも小さい外径を有する円板状の小径部５１ａと、板状部５０ｂとほぼ同じ外径を有する薄い円板状の大径部５１ｂとを有している。小径部５１ａの中心には、第１円盤部５０の外周に嵌合する穴部６５が穿設されるとともに、板状部５０ｂの２箇所の貫通部５４に対応する位置には、それぞれ雌ネジ部６４が形成されている（図７参照）。第１円盤部５０と第２円盤部５１とは、小径部５１ａの穴部６５の内周面と筒状部５０ａの外周面との間で摺動するため、これらの嵌め合いは、摺動可能となる程度に設定されている。小径部５１ａの外周面には、タイミングベルトである無端帯２１の凹凸に対応するように、凹凸（突条、図示せず）が形成されている。
【００３８】
大径部５１ｂは、その周面に直交する側面が、小径部５１ａの周面に直交する側面のうち、小径部５１ａが板状部５０ｂと対抗する側面の反対側の側面に重ねられるが、詳細には、小径部５１ａの前記側面に形成された段部が大径部５１ｂの中心穴に嵌り込んで、小径部５１ａと大径部５１ｂとが固着（カシメ、溶着等）されるようになっている。
【００３９】
回転軸用プーリ２３を構成するための第１円盤部５０と第２円盤部５１との組み付けについて説明する。まず、小径部５１ａの一方の側面に大径部５１ｂを重ねて固着して第２円盤部５１を形成し、この第２円盤部５１の小径部５１ａの穴部６５を、筒状部５０ａの外周に被せ、筒状部５０ａの第２段部６３に小径部５１ａの一方の側面を重ねる。
【００４０】
次いで、筒状部５０ａの第１段部６０に板状部５０ｂを重ね、ネジ５７で板状部５０ｂを筒状部５０ａにネジ止め固定する。この板状部５０ｂは第２円盤部５１の小径部５１ａにも当接しているから、板状部５０ｂを筒状部５０ａに対して固定することで、第２円盤部５１を筒状部５０ａの段部６５側に押え付ける力が作用する（図６参照）。
【００４１】
次いで、板状部５０ｂの貫通部５４の内側において、第２係止片５６となるネジをナット６６と筒状部５０ａとに連続して螺合させる。第１係止片５５と第２係止片５６の組（ここでは２組）にそれぞれバネ状弾性体５３を取り付け（図７参照）、回転軸用プーリ２３の組み立てが完成する。なお、第２係止片５６は板状部５０ｂの貫通部５４の内側に配置され、第２円盤部５１が第１円盤部５０に対して摺動するときには、第２係止片５６が貫通部５４の内側を相対的に移動することになるので、第１係止片５５と第２係止片５６との間の距離、すなわちバネ状弾性体５３の伸長可能な長さは、貫通部５４の大きさによって規定される。この貫通部５４の大きさや、バネ状弾性体５３のバネ定数は、モータ１７の起動時にモータ１７に掛かる負荷等を考慮して適性な値に設定される。
【００４２】
組み立てられた回転軸用プーリ２４は、回転軸１４に板状部５０ｂが先端側となるように取り付けられ、筒状部５０ｓが回転軸１４にネジ（図示せず）止め固定され、回転軸用プーリ２４と駆動軸１８の駆動軸用プーリ２２とに無端帯２１が掛け渡される。回転軸用プーリ２４では、大径部５１ｂと板状部５０ｂとが小径部５１ａを挟んでこれよりも大きい外径に形成されているから、無端帯２１の脱落防止として機能する。
【００４３】
このように構成されたスロットマシン１００では、遊技者が１枚または数枚のメダルをメダル投入口１１４より投入して、スタータ１１２を操作すると、モータ１７が起動して、駆動力伝達手段２０によって、回転が回転体１１に伝達され、リールテープ１９が回転し始める。この停止状態から回転体１１が回転始動するときには、回転体が大きな負荷となるため、無端帯２１の張力が急激に増加することになるが、上記実施形態では、回転軸１４に取り付けられた回転軸用プーリ２３のうち無端帯２１が巻き付けられた第２円盤部５１が、回転軸１４に固定された第１円盤部５０に対して摺動する。
【００４４】
換言すれば、回転体全体が回転開始する前に、負荷として小さい第２円盤部５１が先に回転開始するから、回転軸用プーリ２３が、無端帯２１の張力を緩和するダンパー機能を発揮することになり、回転初期にモータ１７に係る負荷が軽減されてモータ１７が安定的に回転開始することができる。
【００４５】
第２円盤部５１と第１円盤部５０とは、バネ状弾性体５３で連結されているから、第２円盤部５１の摺動によって、第２係止片５６が矢印Ｂ方向（図７参照）に移動し、バネ状弾性体５３は直ちに伸長する。バネ状弾性体５３の伸長量は貫通部５４の大きさで規定されているから所定長さの伸長量に達すると、第１円盤部５０が第２円盤部５１に追従して回転を開始し、これと同時に第１円盤部５０と一体化している回転軸１４、ひいては回転体１１も回転を開始する。
【００４６】
モータ１４の回転数が増加し、無端帯２１に掛かる張力が軽くなるのに伴って、バネ状弾性体５３もその復元力によって徐々に初期の長さに短縮する。そして、モータ１４が定常回転の状態になって、無端帯２１の張力が実質上一定になると、回転軸用プーリ２３である第１円盤部５０及び第２円盤部５１と回転軸１４とが、一体的に回転する。
【００４７】
次に、上記実施形態を変形した別例について、図８及び図９を用いて説明する。この実施形態では、第２円盤部５１が第１円盤部５０に対して摺動するときに、第１係止片５５と第２係止片５６との間に設けられたバネ状弾性体５３を圧縮させながら摺動するように構成したものである。
【００４８】
詳細には、図８に示すように、第１係止片５５が、第２係止片５６（貫通部５４）に対して回転方向Ａの前進側となる位置に、第２係止片５６（貫通部５４）と所定の間隔を空けて設けられている。従って、停止状態から回転体１１が回転始動して、無端帯２１の張力が急激に増加すると、第２円盤部５１が第１円盤部５０に対して摺動し、第２係止片５６が矢印Ｃ方向（図９参照）に移動し、バネ状弾性体５３を直ちに圧縮する。そして、バネ状弾性体５３の圧縮量が所定値に達すると、第１円盤部５０が第２円盤部５１に追従して回転を開始し、これと同時に第１円盤部５０と一体化している回転軸１４、ひいては回転体１１も回転を開始する。
【００４９】
上記実施形態では、モータ１７に小型で比較的トルクの小さいステッピングモータを採用しているため、モータ１７の起動トルクに対して回転体１１が過負荷となって、起動時に、モータ１７内での制御ステップに駆動軸１８が追従せずに、脱調が発生し易い。
【００５０】
しかしながら、上記実施形態ではいずれも、モータ１７の始動時には、大きな負荷となる回転体１１全体が回転開始するのではなく、小さい負荷の第２円盤部５１のみが先に回転開始するので、無端帯２１の張力の急激な増加を緩衝し、モータ１７における脱調を確実に防止することができるので、モータ１７に安心して小型モータを採用することができる。
【００５１】
その結果、回転体駆動装置１０において、回転体１１の内部にモータ１７を配置しても、モータ以外のスペースを広く確保することができ、回転体１１の内部空間を、照明装置等の演出用部材や装飾用部材や、その他の任意の部材の配置に大いに活用することが可能となる。もちろん、回転体１１の外側にモータを配置する必要がないため、回転体駆動装置１０全体としても、コンパクトに構成することができる。また、小型モータはトルクの大きな大型モータに比べて、部品コストが安価である上、重量も軽量化することができるという利点も有している。
【図面の簡単な説明】
【００５２】
【図１】本発明の遊技機の回転駆動装置を適用したスロットマシンの正面外観図である。
【図２】図１のスロットマシンの内部構成を示す概略図である。
【図３】第１実施形態の回転駆動装置の概略構成を示す斜視図である。
【図４】図３のＩＶ−ＩＶ線矢視断面図である。
【図５】図４のＶ−Ｖ線矢視図である。
【図６】図４の要部拡大図である。
【図７】図５のＶＩＩ−ＶＩＩ線矢視断面図である。
【図８】別例の図５に相当する図である。
【図９】図８のＩＸ−ＩＸ線矢視断面図である。
【符号の説明】
【００５３】
１０      回転体駆動装置
１１      回転体
１４      回転軸
１７      モータ
１８      駆動軸
２０      駆動力伝達手段
２１      無端帯
２２      駆動軸用プーリ
２３      回転軸用プーリ
５０      第１円盤部
５０ａ    筒状部
５０ｂ    板状部
５１      第２円盤部
５１ａ    小径部
５１ｂ    大径部
５３      バネ状弾性体
５４      貫通部
５５      第１係止片
５６      第２係止片
１００    スロットマシン
【図１】
2007289334.tif 000003
【図２】
2007289334.tif 000004
【図３】
2007289334.tif 000005
【図４】
2007289334.tif 000006
【図５】
2007289334.tif 000007
【図６】
2007289334.tif 000008
【図７】
2007289334.tif 000009
【図８】
2007289334.tif 000010
【図９】
2007289334.tif 000011